(57)【要約】      （修正有）【課題】物品の運搬、保管等に用いられる際の強度の低下が抑制されると共にこの物品の陳列ケースとして用いる際の開封作業性に優れる箱用シートセットを提供する。【解決手段】箱用シートセットは、四角筒状部を有する箱型に組立てられる外箱用シート１と、四角筒状部の内側に嵌合可能な四角筒状に組立てられるスリーブ用シートとを備え、外箱用シート１が、四角筒状部を構成する４つの外側面パネル１１〜１４を備え、４つの外側面パネル１１〜１４が四角筒状部の周方向に沿って断続的な第１破断容易線２４を有し、少なくとも１つの外側面パネル１１〜１４が、第１破断容易線２４間を接続し、四角筒状部の内側に押込み可能な押込み片２５を画定する第２破断容易線２６を有し、スリーブ用シートが、嵌合状態で押込み片２５が押込まれた際に押込み片２５に係合する係合部を有し、係合部の係合によって外側面パネル１１〜１４の一方向側の部位の切離に際してこの一方側の部位と共に他方側の部位から離脱する。【選択図】図１
0003201117.tif 000002
【実用新案登録請求の範囲】
【請求項１】
四角筒状部を有する箱型に組立てられる外箱用シートと、上記四角筒状部の内側に嵌合可能な四角筒状に組立てられるスリーブ用シートとを備え、
上記外箱用シートが、一方向に連接され、上記四角筒状部を構成する４つの外側面パネルを備え、
この４つの外側面パネルが、四角筒状部の周方向に沿って断続的な第１破断容易線を有し、
少なくとも１つの外側面パネルが、上記第１破断容易線間を接続し、四角筒状部の内側に押込み可能な押込み片を画定する第２破断容易線を有し、
上記４つの外側面パネルが、上記第１破断容易線及び第２破断容易線の破断によって一方側の部位を他方側の部位から切離可能に設けられ、
上記スリーブ用シートが、嵌合状態で上記押込み片が押込まれた際にこの押込み片に係合する係合部を有し、この係合部の係合によって上記外側面パネルの一方向側の部位の切離に際してこの一方側の部位と共に他方側の部位から離脱する箱用シートセット。
【請求項２】
上記第１破断容易線が交互に配置されるミシン目及び継ぎ目からなり、複数のミシン目の平均長さが複数の継ぎ目の平均長さの３倍以上である請求項１に記載の箱用シートセット。
【請求項３】
上記４つの外側面パネルが、それぞれ上記第２破断容易線を有する請求項１又は請求項２に記載の箱用シートセット。
【請求項４】
上記第２破断容易線が円弧状に形成されている請求項１、請求項２又は請求項３に記載の箱用シートセット。
【請求項５】
上記係合部が、上記押込み片を内側に押込まれた際にこの押込み片と共に内側に押込まれる舌片を有する請求項１から請求項４のいずれか１項に記載の箱用シートセット。
【考案の詳細な説明】
【技術分野】
【０００１】
本考案は、箱用シートセットに関する。
【背景技術】
【０００２】
従来、段ボールシート等から組立てられる箱が、物品の運搬、保管等に用いられている。また、このような箱は、物品を運搬、保管した後にこの物品を陳列する陳列ケースとしても用いられている。
【０００３】
このような運搬、保管用兼陳列用として用いられる箱としては、例えば「切断陳列箱」（特開２００４−３４４２３６号公報参照）が発案されている。この公報に記載の切断陳列箱は、周壁の周方向に舌片、切目及びジッパが連続して形成されている。この切断陳列箱は、舌片を内側に押込み、この舌片の押込みによって形成される抜出穴に手を入れて切目及びジッパの繋部を切断することで上下に分離可能に構成されている。この切断陳列箱は、切目及びジッパの繋部の切断によって分離された上側部分を除去することで、下側部分を物品陳列ケースとして使用可能とされている。
【０００４】
しかしながら、この切断陳列箱は、周壁に舌片、切目及びジッパが形成されているため、周壁の強度が弱くなる。そのため、この切断陳列箱は、例えば物品の運搬又は保管に当たり複数の箱を積み重ねた場合に箱潰れ等を生じるおそれがある。また、この切断陳列箱は、強度を強くするために継ぎ目部分を長くすると開封作業が困難になるおそれがある。
【先行技術文献】
【特許文献】
【０００５】
【特許文献１】特開２００４−３４４２３６号公報
【考案の概要】
【考案が解決しようとする課題】
【０００６】
本考案は、このような不都合に鑑みてなされたものであり、物品の運搬、保管等に用いられる際の強度の低下が抑制されると共に、この物品の陳列ケースとして用いる際の開封作業性に優れる箱用シートセットの提供を目的とするものである。
【課題を解決するための手段】
【０００７】
上記課題を解決するためになされた本考案に係る箱用シートセットは、四角筒状部を有する箱型に組立てられる外箱用シートと、上記四角筒状部の内側に嵌合可能な四角筒状に組立てられるスリーブ用シートとを備え、上記外箱用シートが、一方向に連接され、上記四角筒状部を構成する４つの外側面パネルを備え、この４つの外側面パネルが、四角筒状部の周方向に沿って断続的な第１破断容易線を有し、少なくとも１つの外側面パネルが、上記第１破断容易線間を接続し、四角筒状部の内側に押込み可能な押込み片を画定する第２破断容易線を有し、上記４つの外側面パネルが、上記第１破断容易線及び第２破断容易線の破断によって一方側の部位を他方側の部位から切離可能に設けられ、上記スリーブ用シートが、嵌合状態で上記押込み片が押込まれた際にこの押込み片に係合する係合部を有し、この係合部の係合によって上記外側面パネルの一方向側の部位の切離に際してこの一方側の部位と共に他方側の部位から離脱する。
【０００８】
当該箱用シートセットは、外箱用シートを組立ててなる外箱の四角筒状部の内側にスリーブ用シートが嵌合された状態で物品を収容可能な包装箱として構成される。当該箱用シートセットは、外箱用シートが第１破断容易線及び第２破断容易線の破断によって外側面パネルの一方側の部位及び他方側の部位を切離可能に構成されているので、例えば一方側の部位の切離後の他方側の部位側を物品陳列ケースとして用いることができる。当該箱用シートセットは、包装箱に組立てられた状態で４つの外側面パネルによって形成される四角筒状部の内側にスリーブ用シートが嵌合されているので、スリーブ用シートによって四角筒状部の強度を補強することができる。そのため、当該箱用シートセットを組立ててなる包装箱は、物品の運搬、保管等に用いられる際の強度の低下が抑制される。また、当該箱用シートセットは、スリーブ用シートが係合部を有し、これにより外箱用シートの一方側の部位の切離に際してこの一方側の部位と共に離脱可能に構成されているので、一方側の部位とスリーブ用シートとを別個に取り外す手間を省くことができる。従って、当該箱用シートセットは、包装箱から物品陳列ケースを形成する際の開封作業性に優れる。
【０００９】
上記第１破断容易線が交互に配置されるミシン目及び継ぎ目からなり、複数のミシン目の平均長さが複数の継ぎ目の平均長さの３倍以上であるとよい。当該箱用シートセットは、上述のように包装箱に組立てられた際に四角筒状部の強度がスリーブ用シートによって補強されているので、ミシン目の平均長さを継ぎ目の平均長さの３倍以上としても十分な強度を有することができる。そのため、上述のようにミシン目に対する継ぎ目の長さを３分の１以下と短くして、継ぎ目の破断部分に起因する美観の低下を抑制することができる。また、ミシン目に対する継ぎ目の長さを上記範囲に短くして開封作業の容易化を促進することができる。
【００１０】
上記４つの外側面パネルが、それぞれ上記第２破断容易線を有するとよい。このように、４つの外側面パネルがそれぞれ第２破断容易線を有することによって、第２破断容易線によって画定される押込み片をスリーブ用シートの係合部に係合させることで、外側面パネルの一方側の部位と共にスリーブ用シートを容易に離脱させることができる。
【００１１】
上記第２破断容易線が円弧状に形成されているとよい。このように、第２破断容易線が円弧状に形成されていることによって、第２破断容易線を容易に破断することができる。また、かかる構成によると、第２破断容易線によって画定される押込み片をスリーブ用シートの係合部に係合させ易い。
【００１２】
上記係合部が、上記押込み片を内側に押込まれた際にこの押込み片と共に内側に押込まれる舌片を有するとよい。このように、係合部が押込み片を内側に押込まれた際にこの押込み片と共に内側に押込まれる舌片を有することによって、外側面パネルを一方側の部位と他方側の部位とに切離しない場合におけるスリーブ用シートによる補強効果を高めると共に、外側面パネルを一方側の部位と他方側の部位とに切離する際の切離作業性の低下を防止することができる。
【考案の効果】
【００１３】
以上説明したように、本考案の箱用シートセットは、物品の運搬、保管等に用いられる際の強度の低下を抑制することができると共に、この物品の陳列ケースとして用いる際の開封作業性に優れる。
【図面の簡単な説明】
【００１４】
【図１】本考案の一実施形態に係る外箱用シートを示す模式的平面図である。
【図２】本考案の一実施形態に係るスリーブ用シートを示す模式的平面図である。
【図３】図１の外箱用シート及び図２のスリーブ用シートを組立ててなる包装箱を示す模式的斜視図である。
【図４】図２のスリーブ用シートによって形成されるスリーブを示す模式的斜視図である。
【図５】図３の包装箱の開封状態を示す模式的斜視図である。
【考案を実施するための形態】
【００１５】
以下、適宜図面を参照しつつ、本考案の実施の形態を詳説する。
【００１６】
［箱用シートセット］
当該箱用シートセットは、図１，２に示すように、四角筒状部を有する箱型に組立てれられる外箱用シート１と、上記四角筒状部の内側に嵌合可能な四角筒状に組立てられるスリーブ用シート２とを備える。当該箱用シートセットは、外箱用シート１を組立ててなる外箱の四角筒状部の内側にスリーブ用シート２が嵌合された状態で物品を収容可能な包装箱として構成される。
【００１７】
＜外箱用シート＞
外箱用シート１は、１枚のシートからなる。外箱用シート１は、図１に示すように、一方向（左右方向）に連接され、上記四角筒状部を構成する４つの外側面パネル（第１外側面パネル１１、第２外側面パネル１２、第３外側面パネル１３、第４外側面パネル１４）を備える。また、外箱用シート１は、第４外側面パネルの第３外側面パネル１３と連接する端縁と反対側の端縁に連接される糊代部１５を備える。さらに、外箱用シート１は、第１外側面パネル１１及び第３外側面パネル１３の上縁から延出される一対の上側内フラップ１６，１８と、第２外側面パネル１２及び第４外側面パネル１４の上縁から延出される一対の上側外フラップ１７，１９と、第１外側面パネル１１及び第３外側面パネル１３の下縁から延出される一対の下側内フラップ２０，２２と、第２外側面パネル１２及び第４外側面パネル１４の下縁から延出される一対の下側外フラップ２１，２３とを備える。外箱用シート１は、４つの外側面パネル１１〜１４を四角筒状に組み合わせた状態で、糊代部１５を第１外側面パネル１１の第２外側面パネル１２との連接側と反対側の内側に貼着することで四角筒状部を形成可能に構成されている。なお、本明細書における「上」及び「下」とは、外箱用シート１及びスリーブ用シート２から組立てられる包装箱における「上」及び「下」を意味する。また、「左」及び「右」とは、平面視における「上」及び「下」に対する「左」及び「右」をいう。
【００１８】
外箱用シート１に用いられるシートとしては、外箱用シート１を組立ててなる外箱の形状を維持できる程度の強度を有し、かつ適度な反発力を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。
【００１９】
上記段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
（外側面パネル及び糊代部）
第１外側面パネル１１及び第３外側面パネル１３は、略同形の矩形状に形成されている。また、第２外側面パネル１２及び第４外側面パネル１４は、略同形の矩形状に形成されている。４つの外側面パネル１１〜１４の上下方向長さは略同一である。また、第１外側面パネル１１及び第３外側面パネル１３の幅（左右方向長さ）は、第２外側面パネル１２及び第４外側面パネル１４の幅よりも小さい。さらに、４つの外側面パネル１１〜１４は、上下方向長さが幅よりも大きい。
【００２１】
４つの外側面パネル１１〜１４の上下方向長さとしては、特に限定されるものではないが、例えば１０ｃｍ以上５０ｃｍ以下程度とすることができる。第１外側面パネル１１及び第３外側面パネル１３の幅としては、特に限定されるものではないが、例えば５ｃｍ以上２５ｃｍ以下程度とすることができる。第２外側面パネル１２及び第４外側面パネル１４の幅としては、特に限定されるものではないが、例えば８ｃｍ以上４８ｃｍ以下程度とすることができる。
【００２２】
４つの外側面パネル１１〜１４は、四角筒状部の周方向に沿って断続的な第１破断容易線２４を有する。また、４つの外側面パネル１１〜１４のうち、少なくとも１つの外側面パネル（本実施形態においては、４つの外側面パネル１１〜１４のそれぞれ）は、第１破断容易線２４間を接続し、上記四角筒状部の内側に押込み可能な押込み片２５を画定する第２破断容易線２６を有する。詳細には、第１外側面パネル１１及び第３外側面パネル１３は、第２破断容易線２６を各１つ有し、第２外側面パネル１２及び第４外側面パネル１４は、第２破断容易線２６を各２つ有している。さらに、糊代部５は、上記四角筒状部において第１外側面パネル１１の第１破断容易線２４と重なる部分に破断容易線２４を有する。４つの外側面パネル１１〜１４は、第１破断容易線２４及び複数の第２破断容易線２６の破断によって一方側の部位３ａ（第１破断容易線２４及び複数の第２破断容易線２６から上側の部位）を他方側の部位３ｂ（第１破断容易線２４及び複数の第２破断容易線２６から下側の部位）から切離可能に設けられている。つまり、上記四角筒状部を組立てた状態において、第１破断容易線２４の第１外側面パネル１１の連接方向の他端側（第１外側面パネル１１の第２外側面パネル１２と連接される端縁と反対側）の端部と、第４外側面パネル１４の連接方向の一端側（第４外側面パネル１４の糊代部１５と連接される側）の端部とは上下方向位置が等しい。当該箱用シートは、４つの外側面パネル１１〜１４がそれぞれ第２破断容易線２６を有することによって、第２破断容易線２６によって画定される押込み片２５を後述するスリーブ用シート２の係合部３５に係合させることで、外側面パネル１１〜１４の一方側の部位３ａと共にスリーブ用シート２を容易に離脱させることができる。
【００２３】
第２外側面パネル１２に設けられる第１破断容易線２４及び第４外側面パネル１４に設けられる第１破断容易線２４は左右方向（水平方向）に伸びている。また、第２外側面パネル１２に設けられる第１破断容易線２４は、第２外側面パネル１２の上下方向の中央位置より下側に配設され、第４外側面パネル１４に設けられる第１破断容易線２４は、第４外側面パネル１４の上下方向中央位置より上側に配設されている。当該箱用シートセットは、第１破断容易線２４がこのように配設されることによって、外側面パネル１１〜１４を一方側の部位３ａ及び他方側の部位３ｂに切離し、他方側の部位３ｂ側を物品陳列ケースとして用いる場合に、第２外側面パネル１２を視認者側に配置することで物品を見栄えよく陳列することができる。
【００２４】
第１破断容易線２４はミシン目部から構成されている。つまり、第１破断容易線２４は、交互に配置されるミシン目及び継ぎ目からなる。第１破断容易線２４の継ぎ目は、第２外側面パネル１２及び第４外側面パネル１４の一対の第２破断容易線２６間に各１つ設けられ、かつ第２外側面パネル１２及び第４外側面パネル１４における第２破断容易線２６と側縁との間に各１つ設けられている。また、第１破断容易線２４の継ぎ目は、第１外側面パネル１１の第２破断容易線２６と第１外側面パネル１１の連接方向の他端側の端縁との間に２つ設けられ、かつ第１外側面パネル１１の第２破断容易線２６と第１外側面パネル１１の連接方向の一端側の端縁との間に１つ設けられている。さらに、第１破断容易線２４の継ぎ目は、第３外側面パネル１３の第２破断容易線２６と第３外側面パネル１３の連接方向の両端縁との間に各１つ設けられている。当該箱用シートセットは、このように継ぎ目の数が少ないことによって、外側面パネル１１〜１４を一方側の部位３ａ及び他方側の部位３ｂに切離した場合に、継ぎ目の破断部分に起因する美観の低下を抑制することができる。なお、「ミシン目」とは、断続的に設けられる切込みをいい、「継ぎ目」とは、隣接するミシン目間に配置される切込みの非形成部分をいう。
【００２５】
第１破断容易線２４の継ぎ目は、隣接する外側面パネル１１〜１４の連接部分には設けられていない。四角筒状部の角部を構成する部分に継ぎ目が設けられていない場合（つまり、四角筒状部の角部を構成する部分にこの四角筒状部の周方向に沿うミシン目が設けられている場合）、通常箱の強度が低くなると共にこの箱の形状を保持し難くなる。これに対し、当該箱用シートセットは、外箱用シート１を組立ててなる外箱の四角筒状部の内側にスリーブ用シート２が嵌合されるので、外側面パネル１１〜１４の連接部分に継ぎ目を設けなくても包装箱の強度の低下を抑制すると共にこの包装箱の形状を十分に保持することができる。
【００２６】
上記ミシン目部を構成する複数のミシン目の平均長さとしては、上記ミシン目部を構成する複数の継ぎ目の平均長さの３倍以上が好ましく、５倍がより好ましく、１０倍がさらに好ましい。一方、上記ミシン目部を構成する複数のミシン目の平均長さとしては、上記ミシン目部を構成する複数の継ぎ目の平均長さの１５倍以下が好ましい。上記平均長さが上記下限に満たないと、外側面パネル１１〜１４を一方側の部位３ａ及び他方側の部位３ｂに切離した場合に、継ぎ目の破断部分に起因する美観の低下を十分に抑制することができないおそれがある。また、上記平均長さが上記下限に満たないと、継ぎ目の長さが長くなり、継ぎ目を容易に破断することが困難になるおそれがある。逆に、上記平均長さが上記上限を超えると、継ぎ目が意図せず破断するおそれがある。
【００２７】
複数の継ぎ目の平均長さの下限としては、０．５ｍｍが好ましく、１ｍｍがより好ましい。一方、複数の継ぎ目の平均長さの上限としては、５ｍｍが好ましく、３ｍｍがより好ましい。複数の継ぎ目の平均長さが上記下限に満たないと、継ぎ目が意図せず破断するおそれがある。逆に、複数の継ぎ目の平均長さが上記上限を超えると、継ぎ目を容易に破断することが困難になるおそれがある共に、継ぎ目の破断部分に起因して美観が低下するおそれがある。
【００２８】
複数のミシン目の平均長さの下限としては、１ｃｍが好ましく、１．５ｃｍがより好ましく、２ｃｍがさらに好ましい。一方、複数のミシン目の平均長さの上限としては、４ｃｍが好ましく、３．５ｃｍがより好ましく、３ｃｍがさらに好ましい。複数のミシン目の平均長さが上記下限に満たないと、第１破断容易線２４における継ぎ目部分が増加して第１破断容易線２４の破断が困難になるおそれがある。逆に、複数のミシン目の平均長さが上記上限を超えると、第１破断容易線２４が意図せず破断するおそれがある。
【００２９】
第２破断容易線２６は、両端よりも中央が下側に突出した形状を有する。第２破断容易線２６の形状としては、特に限定されるものではなく、円弧状、Ｖ字状、コ字状等が挙げられる。中でも、第２破断容易線２６の形状としては、円弧状が好ましい。当該箱用シートセットは、第２破断容易線２６が円弧状に形成されることによって、第２破断容易線２６の破断容易性を高めることができる。また、当該箱用シートセットは、第２破断容易線２６が円弧状に形成されることによって、第２破断容易線２６によって画定される押込み片２５を後述するスリーブ用シート２の係合部３５に係合させ易い。
【００３０】
第２破断容易線２６の両端間の距離の下限としては、１．５ｃｍが好ましく、２ｃｍがより好ましい。一方、第２破断容易線２６の両端間の距離の上限としては、３．５ｃｍが好ましく、３ｃｍがより好ましい。第２破断容易線２６の両端間の距離が上記下限に満たないと、第２破断容易線２６によって画定される押込み片２５を指で押込むことが困難になるおそれがある。逆に、第２破断容易線２６の両端間の距離が上記上限を超えると、押込み片２５の幅が不要に大きくなり、押込み片２５をスリーブ用シート２の係合部に係合させ難くなるおそれがある。
【００３１】
第２破断容易線２６の突出長さの下限としては、１ｃｍが好ましく、１．５ｃｍがより好ましい。一方、第２破断容易線２６の突出長さの上限としては、２．５ｃｍが好ましく、２ｃｍがより好ましい。第２破断容易線２６の突出長さが上記下限に満たないと、第２破断容易線２６によって画定される押込み片２５の突出長さが十分に大きくならず、押込み片２５をスリーブ用シート２の係合部に係合させ難くなるおそれがある。逆に、第２破断容易線２６の突出長さが上記上限を超えると、第２破断容易線２６の破断を容易に行えなくなるおそれがある。
【００３２】
第２外側面パネル１２及び第４外側面パネル１４に形成される各一対の第２破断容易線２６は、第２外側面パネル１２及び第４外側面パネル１４の幅方向中央位置から左右方向に等間隔で配設されている。また、第２外側面パネル１２及び第４外側面パネル１４に形成される各第２破断容易線２６は、両端が水平位置に配設されている。さらに、第２外側面パネル１２及び第４外側面パネル１４に形成される各第２破断容易線２６の両端の上方には、継ぎ目を介して切込み２７が設けられている。当該箱用シートセットは、外箱用シート１が第２破断容易線２６の両端の上方に切込み２７を有することによって、切込み２７の上端を基端として押込み片２５を内側に押込むことができる。これにより、当該箱用シートセットは、スリーブ用シート２の係合部３５に押込み片２５を巻き込むように係合させることができ、一方側の部位３ａとスリーブ用シート２とを他方側の部位３ｂから切離させ易い。
【００３３】
また、第２外側面パネル１２及び第４外側面パネル１４の内面側における各第２破断容易線２６の両端の上方に設けられる切込２７の上端間には、型押しによって罫線が設けられている（図示省略）。これにより、当該箱用シートセットは、切込み２７の上端を基端として押込み片２５を内側に容易かつ確実に押込み可能に構成されている。
【００３４】
第１外側面パネル１１及び第３外側面パネル１３に形成される第２破断容易線２６は、第１外側面パネル１１及び第３外側面パネル１３の幅方向中央位置に配設されている。第１外側面パネル１１及び第３外側面パネル１３の内面側における第２破断容易線２６の両端間には、型押しによって罫線が設けられている（図示省略）。これにより、当該箱用シートセットは、第２破断容易線２６の両端を基端として押込み片２５を内側に容易かつ確実に押込み可能に構成されている。
【００３５】
＜スリーブ用シート＞
スリーブ用シート２は、１枚のシートからなる。スリーブ用シート２に用いられるシートとしては、外箱用シート１を組立ててなる外箱の四角筒状部を内側から補強できる程度の強度を有し、かつ適度な反発力を有している限り特に限定されるものではなく、例えば外箱用シート１と同様のシートを用いることができる。
【００３６】
スリーブ用シート２は、図２に示すように、一方向（左右方向）に連接され、四角筒状に組立てられる４つの内側面パネル（第１内側面パネル３１、第２内側面パネル３２、第３内側面パネル３３、第４内側面パネル３４）を備える。４つの内側面パネル３１〜３４の連接部は折り曲げ可能に構成されており、本実施形態においては４つの内側面パネル３１〜３４の連接部には、それぞれミシン目部が設けられている。４つの内側面パネル３１〜３４はそれぞれ略矩形状に形成されている。また、４つの内側面パネル３１〜３４の両側端縁の下部には、それぞれ切欠きが形成されている。
【００３７】
当該箱用シートセットを組立ててなる包装箱において、第１内側面パネル３１は、第１外側面パネル１１の内面に重なり、第２内側面パネル３２は第２外側面パネル１２の内面に重なり、第３内側面パネル３３は第３外側面パネル１３の内面に重なり、第４内側面パネル３４は第４外側面パネル１４の内面に重なる。そのため、第１内側面パネル３１の幅は第１外側面パネル１１の幅と略等しく、第２内側面パネル３２の幅は第２外側面パネル１２の幅と略等しく、第３内側面パネル３３の幅は第３外側面パネル１３の幅と略等しく、第４内側面パネル３４の幅は第４外側面パネル１４の幅と略等しい。
【００３８】
また、当該箱用シートセットを組立ててなる包装箱において、４つの外側面パネル１１〜１４の下端位置と４つの内側面パネル３１〜３４の下端位置とは略等しい。４つの内側面パネル３１〜３４の上下方向長さは略等しく、４つの外側面パネル１１〜１４の上下方向長さの２／３以上１以下程度とされている。
【００３９】
スリーブ用シート２は、上記四角筒状部の内側に嵌合した状態で押込み片２５が押込まれた際に押込み片２５に係合する複数の係合部３５を有する。係合部３５は、スリーブ用シート２が上記四角筒状部の内側に嵌合した状態で押込み片２５と重なる位置にそれぞれ設けられている。スリーブ用シート２は、係合部３５の係合によって外側面パネル１１〜１４の一方向側の部位３ａの切離に際してこの一方向側の部位３ａと共に他方側の部位３ｂから離脱可能に構成されている。
【００４０】
係合部３５は、押込み片２５が内側に押込まれた際に押込み片２５と共に内側に折り込まれる舌片を有する。この舌片は、各内側面パネル３１〜３４に設けられる第３破断容易線３６によって画定されている。第３破断容易線３６は、スリーブ用シート２を上記四角筒状部の内側に嵌合した状態で第２破断容易線２６と重なり合う位置に形成されている。また、第２内側面パネル３２及び第４内側面パネル３４に設けられる第３破断容易線３６は、第２外側面パネル１２及び第４外側面パネル１４の切込み２７と重なり合う位置まで伸びている。当該箱用シートセットは、係合部３５が押込み片２５と共に内側に押込まれる舌片を有することによって、外側面パネル１１〜１４を一方側の部位３ａと他方側の部位３ｂとに切離しない場合（つまり、当該箱用シートセットを包装箱として用いる場合）におけるスリーブ用シート２による補強効果を高めると共に、外側面パネル１１〜１４を一方側の部位３ａと他方側の部位３ｂとに切離する際の切離作業性の低下を防止することができる。
【００４１】
また、４つの内側面パネル３１〜３４の内面側における第３破断容易線３６の両端間には、型押しによって罫線が設けられている（図示省略）。これにより、当該箱用シートセットは、第３破断容易線３６の両端を基端として内側に容易かつ確実に押込み可能に構成されている。
【００４２】
［包装箱］
次に、図３，４を参照して、当該箱用シートセットを組立ててなる包装箱４について説明する。包装箱４の組立手順としては、まず図１の外箱用シート１の４つの外側面パネル１１〜１４を四角筒状に組み合わせた状態で、糊代部１５を第１外側面パネル１１の第２外側面パネル１２との連接側と反対側の内側に貼着することで四角筒状部を形成し、続いて外箱用シート１の一対の下側内フラップ２０，２２を内側に折り曲げ、さらに外箱用シート１の一対の下側外フラップ２１，２３を内側に折り曲げて底板を形成する。次に、図４に示すように、図２のスリーブ用シート２を四角筒状に組立ててスリーブを形成し、各内側面パネル３１〜３４の下端が底板の上面に当接する状態で、外箱用シート１の四角筒状部の内面に重ね合わせる。これにより、スリーブ用シート２の第３破断容易線３６が、外箱用シート１の第２破断容易線２６と重なり合うように配置される。続いて、外箱用シート１の一対の上側内フラップ１６，１８を内側に折り曲げ、さらに外箱用シート１の上側外フラップ１７，１９を内側に折り曲げて天板を形成する。これにより、外箱用シート１の各押込み片２５が押込まれた際に、スリーブ用シート２の舌片も同時に押込まれることで、各押込み片２５を係合部３５に係合可能な包装箱４が組立てられる。
【００４３】
＜開封手順＞
次に、図５を参照して、包装箱４の開封手順について説明する。まず、外箱用シート１を組立ててなる外箱の各押込み片２５を内側に押込む。これにより、スリーブ用シート２の上記舌片も同時に内側に押込まれ、各押込み片２５を係合部３５に係合させることができる。またこの際、外箱用シート１の第２外側面パネル１２及び第４外側面パネル１４の各第２破断容易線２６の両端の上方には継ぎ目を介して切込み２７が設けられているので、切込み２７の上端を基端として折込み片２５を押込むことで、上記舌片を押込み片２５で巻き込むように下側から支持することができる。続いて、各押込み片２５を係合部３５に係合させた状態で外側面パネル１１〜１４の一方向側の部位３ａを上方に持ち上げる。これにより、一方側の部位３ａの切離に際してこの一方側の部位３ａと共にスリーブ用シート２が他方側の部位３ｂから離脱する。
【００４４】
＜利点＞
当該箱用シートセットは、外箱用シート１を組立ててなる外箱の四角筒状部の内側にスリーブ用シート２が嵌合された状態で物品を収容可能な包装箱４として構成される。当該箱用シートセットは、外箱用シート１が第１破断容易線２４及び第２破断容易線２６の破断によって外側面パネル１１〜１４の一方側の部位３ａ及び他方側の部位３ｂを切離可能に構成されているので、例えば一方側の部位３ａの切離後の他方側の部位３ｂ側を物品陳列ケースとして用いることができる。当該箱用シートセットは、包装箱４に組立てられた状態で４つの外側面パネル１１〜１４によって形成される四角筒状部の内側にスリーブ用シート２が嵌合されているので、スリーブ用シート２によって四角筒状部の強度を補強することができる。そのため、当該箱用シートセットを組立ててなる包装箱４は、物品の運搬、保管等に用いられる際の強度の低下が抑制される。また、当該箱用シートセットは、スリーブ用シート２が係合部３５を有し、これにより外箱用シート１の一方側の部位３ａの切離に際してこの一方側の部位３ａと共に離脱可能に構成されているので、一方側の部位３ａとスリーブ用シート２とを別個に取り外す手間を省くことができる。従って、当該箱用シートセットは、包装箱４から物品陳列ケースを形成する際の開封作業性に優れる。
【００４５】
［その他の実施形態］
なお、本考案の箱用シートセットは、上記態様の他、種々の変更、改良を施した態様で実施することができる。例えば、外側面パネル及び内側面パネルの形状は特に限定されるものではなく、各外側面パネル及び内側面パネルは上下方向長さよりも幅の方が大きくてもよい。また、各外側面パネルにおける第１破断容易線の配置は特に限定されるものではなく、例えば第１破断容易線は、各外側面パネルの上下方向中央位置に形成されていてもよい。さらに、外箱用シートを組立ててなる外箱の天板及び底板の構成は特に限定されるものではない。
【００４６】
第２破断容易線の個数は特に限定されるものではなく、例えば１つの外側面パネルのみが第２破断容易線を有してもよく、対向する一対の外側面パネルのみが第２破断容易線を有してもよい。また、第２破断容易線の両端の上方には必ずしも切込みが設けられる必要はなく、逆に全ての第２破断容易線の両端の上方に切込みが設けられていてもよい。
【００４７】
スリーブ用シートに設けられる係合部の具体的構成は特に限定されるものではなく、例えば第２破断容易線によって画定される押込み片に係合可能な開口であってもよい。また、上記係合部が上記舌片を有する場合であっても、この舌片の形状は特に限定されるものではなく、例えば幅及び／又は突出長さが押込み片よりも大きくてもよい。
【００４８】
第１破断容易線のミシン目及び継ぎ目の長さは特に限定されるものではなく、例えば第１破断容易線は同一長さのミシン目及び継ぎ目が交互に配設されることで構成されてもよい。
【産業上の利用可能性】
【００４９】
以上のように、本考案の箱用シートセットは、物品の運搬、保管用兼物品の陳列ケース用シートとして適している。
【符号の説明】
【００５０】
１  外箱用シート
２  スリーブ用シート
３ａ  一方側の部位
３ｂ  他方側の部位
４  包装箱
１１〜１４  外側面パネル
１５  糊代部
１６，１８  上側内フラップ
１７，１９  上側外フラップ
２０，２２  下側内フラップ
２１，２３  下側外フラップ
２４  第１破断容易線
２５  押込み片
２６  第２破断容易線
２７  切込み
３１〜３４  内側面パネル
３５  係合部
３６  第３破断容易線
【図１】
0003201117.tif 000003
【図２】
0003201117.tif 000004
【図３】
0003201117.tif 000005
【図４】
0003201117.tif 000006
【図５】
0003201117.tif 000007